(57)【要約】      （修正有）【課題】被検体の凹凸のある部分に対してもダイアフラム面を用いた聴音に適するチェストピースを提供する。【解決手段】被検体に当接させて集音するためにチェストピース１のケーシングの第１開口６に設けたダイアフラム７を、第１開口の縁辺から中央に向って漸次突出した弾性変形可能な湾曲凸状を呈するものとする。これによれば、弾性変形可能に湾曲凸状を呈するダイアフラム７は凹凸がある部分に対してもその形状に追従して弾性変形し易くなる。【選択図】図１
2015204870.tif 000002
【特許請求の範囲】
【請求項１】
ケーシングの第１開口に、被検体に当接させて集音するためのダイアフラムが設けられたチェストピースであって、
前記ケーシングは、胴部と、前記胴部の中空部に連通されその内径よりも大きな内径の第１開口が形成された拡開部を有し、
前記ダイアフラムは、前記第１開口の縁辺から中央に向かって漸次突出した弾性変形可能な湾曲凸状を呈する、チェストピース。
【請求項２】
請求項１において、前記ダイアフラムは、前記第１開口の内径よりも大きな直径を有するゴム系の弾性体円形シートで形成され、弾性変形を伴って前記弾性体円形シートの外周縁が前記第１開口の内周縁に固定されて湾曲凸状を呈する、チェストピース。
【請求項３】
請求項２において、前記弾性体円形シートはシリコーンゴムからなる、チェストピース。
【請求項４】
請求項３において、前記ダイアフラムの背面側の拡開部内には空気の流通路が形成された柔軟材が充填されている、チェストピース。
【請求項５】
請求項４において、前記胴部の前記中空部にマイクロホンホルダが設けられ、
前記マイクロホンホルダに、検出面を前記柔軟材に向けたエレクトレットマイクロホンが設けられた、チェストピース。
【請求項６】
請求項５において、前記中空部の内周部と前記マイクロホンホルダの外周部の間に介在された弾性部材を有する、チェストピース。
【請求項７】
請求項６において、前記マイクロホンホルダは前記拡開部の内部と前記胴部の反拡開部側の内部空間を連通させる連通路を有する、チェストピース。
【請求項８】
請求項１において、前記ケーシングは、前記拡開部とは反対側に前記第１開口に連通する第２開口が形成されたベル部を有すると共に、前記ケーシングの胴部の周側部に回動可能に一端が嵌合された音導経路切替え管を有し、
前記音導経路切替え管の第１回動位置において前記音導経路切替え管の他端が前記第１開口に連通され、前記音導経路切替え管の第２回動位置において前記音導経路切替え管の他端が前記第２開口に連通される、チェストピース。
【請求項９】
請求項８において、前記ダイアフラムの背面側の拡開部内には空気の流通路が形成された柔軟材が充填されている、チェストピース。
【発明の詳細な説明】
【技術分野】
【０００１】
本発明は、聴診器に用いるチェストピースに関し、例えば電子聴診器に適用して有効な技術に関する。
【背景技術】
【０００２】
心臓や肺、お腹の音などの、身体の広い範囲を聞いたりする場合に用いる聴診器の集音盤として機能するチェストピースには、特許文献１に例示されるように中空状ケーシングの一面にダイアフラム面を持ち、他面にベル面を持つデュアルタイプ、或いはダイアフラム面だけを備えたシングルタイプがある。
【０００３】
デュアルタイプの場合には、ベル面とダイアフラム面は常に分離されていて、音導経路の切替部分を回転させることで、チューブとベル面、またはチューブとダイアフラム面が音響的に繋がり、検出面の切替を行うことができる。
【０００４】
ベル面を心音聴取に用いる場合、ベル面と皮膚を密着させることでケーシング内に密閉状態を作りだす。体表面の振動は、ケーシング内の内圧変動に変換され、その圧力変動を、チューブを介して直接聴取者の耳で聴く。
【０００５】
ダイアフラム面は呼吸音の聴取に好適である。ダイアフラムはガラスエポキシなどの硬質な樹脂が用いられ、呼吸音聴取には不要の、２００Ｈｚ以下の周波数帯域の音をカットする役目をもつ。
【先行技術文献】
【特許文献】
【０００６】
【特許文献１】特開２０１３−６６６０８号公報
【発明の概要】
【発明が解決しようとする課題】
【０００７】
検診に際して、体表面の凹凸などによってベル面と皮膚の密閉が不十分だと、ケース内の内圧変動が小さくなってしまい、正常に心音を聴取することができない可能性がある。身体の小さい乳幼児や、痩せ型の患者などが対象の場合、ベル面と皮膚の間の密閉が確実にとれないことがあり、心音が正しく聴取できない虞があった。その場合には、チェストピースを皮膚に強く押し付けるか、身体の大きさに合わせて、ベル面のパーツを通常のサイズ（例えば、φ３３ｍｍ）から一回り小さいサイズ（例えば、φ２２ｍｍ）に変更するなどして対応せざるを得なかった。
【０００８】
また、従来のダイアフラム面は平面であるから、肋骨など凹凸がある部分に対して接触面積を大きく採ることができないと、効率的に体表面の振動を検出することができない。また、体表面に汗をかいていると、皮膚とダイアフラムが張り付いて、剥離する際にダイアフラムに共振が生じて、聴取者にとって耳障りな音になり、診断の邪魔になることが想定される。
【０００９】
本発明の目的は、凹凸のある部分に対してもダイアフラム面を用いた聴音に適するチェストピースを提供することにある。
【００１０】
上記並びにその他の課題と新規な特徴は本明細書の記述及び添付図面から明らかになるであろう。
【課題を解決するための手段】
【００１１】
本願において開示される実施の形態のうち代表的なものの概要を簡単に説明すれば下記の通りである。
【００１２】
すなわち、被検体に当接させて集音するためにケーシングの第１開口に設けたダイアフラムを、前記第１開口の縁辺から中央に向って漸次突出した弾性変形可能な湾曲凸状を呈するものとする。
【発明の効果】
【００１３】
本願において開示される実施の形態のうち代表的なものによって得られる効果を簡単に説明すれば下記のとおりである。
【００１４】
すなわち、弾性変形可能に湾曲凸状を呈するダイアフラムは凹凸がある部分に対してもその形状に追従して弾性変形し易いので、凹凸のある部分からの聴音にも適する。
【図面の簡単な説明】
【００１５】
【図１】図１は本発明に係るチェストピースの一例を示す断面図である。
【図２】図２は弾性体円形シートを用いて湾曲凸状のダイアフラムを形成する方法を例示する説明図である。
【図３】図３は周辺支持の円板の共振周波数をガラスエポキシとシリコーンゴムの間で比較した説明図である。
【図４】図４は本発明を適用したデュアルタイプのチェストピースの一例を示す断面図である。
【発明を実施するための形態】
【００１６】
１．実施の形態の概要
先ず、本願において開示される実施の形態について概要を説明する。実施の形態についての概要説明で括弧を付して参照する図面中の参照符号はそれが付された構成要素の概念に含まれるものを例示するに過ぎない。
【００１７】
〔１〕＜湾曲凸状を呈するダイアフラムを有するチェストピース＞
チェストピース（１，１Ａ）は、ケーシングの第１開口（６）に、被検体に当接させて集音するためのダイアフラム（７）を有する。前記ケーシングは、胴部（２，２Ａ）と、前記胴部の中空部に連通されその内径よりも大きな内径の第１開口が形成された拡開部（３）を有する。前記ダイアフラムは、前記第１開口の縁辺から中央に向って漸次突出した弾性変形可能な湾曲凸状を呈する。
【００１８】
これによれば、ダイアフラムを被検体に直接接触させることによって被検体表面の振動に応じてダイアフラムが振動する。弾性変形可能に湾曲凸状を呈するダイアフラムは肋骨など凹凸がある部分に対してもその形状に追従して弾性変形し易いので、従来の平らなダイアフラム面に比べて、被検体との接触面を大きくとることが容易なため、効率よく被検体表面の振動をダイアフラム面から検出することができる。したがって、本発明に係るチェストピースは、凹凸のある部分に対してもダイアフラム面を用いた聴音に適するものである。
【００１９】
〔２〕＜第１開口よりも直径の大きな弾性体円形シートの利用＞
項１において、前記ダイアフラムは、前記第１開口の内径よりも大きな直径を有するゴム系の弾性体円形シート（７ＳＴ）で形成され、弾性変形を伴って前記弾性体円形シートの外周縁が前記第１開口の内周縁に固定されて湾曲凸状を呈する。
【００２０】
これによれば、前記弾性体円形シートの外周縁を前記第１開口の内周縁に固定するだけで、自然に球面が形成される。湾弾性円形シートの径と厚さを決めればそれに応じて突出量及び復元力が決まり、ダイアフラムの湾曲面の具合を容易に決定乃至調整することができる。金型などを用いて湾曲凸状を成形することを必要とせず、専用の金型の作成や修正は一切必要なく、チェストピースのコスト低減に資することができる。
【００２１】
〔３〕＜シリコーンゴム製の弾性体円形シート＞
項２において、前記弾性体円形シートはシリコーンゴムからなる。
【００２２】
これによれば、従来のフラットなダイアフラムに用いられていたエポキシ樹脂に比べてシリコーンゴムのほうが皮膚に近い音響インピーダンスを有し、体表からの振動をダイアフラムの振動に変換する際の減衰を小さくすることができ、体表面の振動検出効率を向上させることができる。
【００２３】
〔４〕＜ダイアフラムの背面側に柔軟材を充填＞
項３において、前記ダイアフラムの背面側の拡開部内には空気の流通路が形成された柔軟材（９）が充填されている。
【００２４】
これによれば、柔軟材はダイアフラムが背後方向に大きく撓むことを抑制することにより、凸状に復元できなくなることを防止する。柔軟材には空気の流通路が形成されているからダイアフラムの振動を後方に伝達する障害にはならない。
【００２５】
〔５〕＜エレクトレットマイクロホンを内蔵＞
項４において、前記胴部の前記中空部にマイクロホンホルダ（１２）が設けられ、前記マイクロホンホルダに、検出面を前記柔軟材に向けたエレクトレットマイクロホン（１７）が設けられる。
【００２６】
これによれば、ダイアフラムを被検体に接触させることによって被検体表面の振動に応じてダイアフラムが振動する。ダイアフラムが振動すると、それに応じてケーシングの内圧が変化し、その内圧変化を上記エレクトレットマイクロホンが検出する。エレクトレットマイクロホンから出力される電気信号は、胴部から引き出されたケーブルを介してアンプ回路などに入力され、増幅された信号がヘッドホンを介して聴取されることになる。
【００２７】
〔６〕＜弾性支持されたマイクロホンホルダ＞
項５において、前記中空部の内周部と前記マイクロホンホルダの外周部の間に介在された弾性部材（１０）を有する。
【００２８】
これによれば、チェストピースに触れたりしたときエレクトレットマイクロホンが拾うタッチノイズの軽減に資することができる。
【００２９】
〔７〕＜マイクロホンホルダの正面から背面に連通する連通路を形成＞
項６において、前記マイクロホンホルダは前記拡開部の内部と前記胴部の反拡開部側の内部空間を連通させる連通路（１８）を有する。
【００３０】
これによれば、ダイアフラムを被検体に押し付けて圧力が加えられると拡開部内の空気が連通路を経てエレクトレットマイクロホンの背面側に廻り、当該マイクロホンの振動板の正面及び背面の圧力が均衡する。この状態でダイアフラムに心拍などによる周期的な圧力変化が与えられると、これを正面側から受ける前記エレクトレットマイクロホンで形成される静電容量が変化され、その変化に応じた信号が外部に出力される。ダイアフラムに周期的な圧力変化が与えられると、ケーシング内の空気はエレクトレットマイクロホンの正面から連通路を通って背面側に移動しようとする。これは、周期的な圧力変化が低周波であるほど顕著であるから、低周波の圧力変化に対しても前記静電容量を再帰的に変化させることができ、心拍等による低周波の圧力変化の検出も確実に行うことができる。マイクロホンホルダを挟んで拡開部に反対側に形成されている内部空間は空気のバッファとして作用し、低周波の圧力変化の検出を更に安定化させる。
【００３１】
〔８〕＜ダイアフラム面とベル面を有するチェストピース＞
項１において、前記ケーシング（２Ａ）は、前記拡開部とは反対側に前記第１開口に連通する第２開口（３１）が形成されたベル部（３０）を有すると共に、前記ケーシングの胴部の周側部に回動可能に一端が嵌合された音導経路切替え管（３２）を有する。前記音導経路切替え管の第１回動位置において前記音導経路切替え管の他端が前記第１開口に連通され、前記音導経路切替え管の第２回動位置において前記音導経路切替え管の他端が前記第２開口に連通される。
【００３２】
これによれば、ダイアフラム面とベル面を有するデュアルタイプのチェストピースにも弾性変形可能な湾曲凸状のダイアフラムを適用することができる。
【００３３】
〔９〕＜ダイアフラムの背面側に柔軟材を充填＞
項８において、前記ダイアフラムの背面側の拡開部内には空気の流通路が形成された柔軟材（９）が充填されている。
【００３４】
これによれば、柔軟材はダイアフラムが背後方向に大きく撓むことを抑制することにより、凸状に復元できなくなることを防止する。柔軟材には空気の流通路が形成されているからダイアフラムの振動を後方に伝達する障害にはならない。
【００３５】
２．実施の形態の詳細
実施の形態について更に詳述する。
【００３６】
図１には本発明に係るチェストピースの一例を示す断面図である。同図に示されるチェストピースは例えば電子聴診器に適用される。
【００３７】
チェストピース１は胴部２と拡開部３から成るケーシング４を有する。胴部２はその軸方向に中空部５を有し、一端が閉塞されている。拡開部３は胴部２の中空部５に連通し、所定肉厚を有する円錐台形状を呈し、先端部には中空部５の内径よりも大きな内径の第１開口６が形成される。
【００３８】
第１開口６には、被検体に当接させて集音するためのダイアフラム７が設けられる。ダイアフラム７は、第１開口６の縁辺から中央に向って漸次突出した弾性変形可能な湾曲凸状を呈する。ダイアフラム７は、図２に例示されるように第１開口６の内径よりも大きな直径を有するゴム系の弾性体円形シート７ＳＴで形成され、弾性変形を伴って前記弾性体円形シート７ＳＴの外周縁７Ａを前記第１開口６の内周縁６Ａに挿入する。その上から、求心方向に突出する鍔を有する保持リング８を被せ、この保持リング８を拡開部３の外周縁６Ｂに固定しながら、鍔で弾性体円形シート７ＳＴの外周縁７Ａ近傍を押圧する。保持リング８を拡開部３の外周縁６Ｂに固定する手段はネジ又は接着剤などの手段を用いればよい。これによって湾曲凸状を呈するダイアフラム７が形成される。弾性体円形シート７ＳＴは例えばシリコーンゴムから成る。
【００３９】
ダイアフラム７の背面側の拡開部３内には空気の流通路が形成された柔軟材９が充填されている。柔軟材９にはスポンジ又は綿などを用いればよい。
【００４０】
胴部２の中空部５には内周環状溝１０が形成され、内周環状溝１０に緩衝材としてゴムリング１１が固定されている。ゴムリング１１の内周部にはマイクロホンホルダ１２が挿入され、マイクロホンホルダ１２はその外周に形成された外周環状溝１３がゴムリング１１の内周部に密着して位置決め固定されている。
【００４１】
マイクロホンホルダ１２は中心孔１５及びこれよりも内径の大きな装着孔１６を同心で有し、装着孔１６にはエレクトレットマイクロホン１７が挿入固定される。エレクトレットマイクロホン１７は、特に図示はしないが、コンデンサの一極を成す振動板と、間隙をもって前記振動板の対極（コンデンサの他極）を成す背電極を有し、背電極は、特に制限されないが、ニッケルメッキされた真ちゅう製であり、前記振動板との対向面に永久分極を形成するための例えばフッ素樹脂がラミネートされている。これとは逆に、背電極に対向する振動板にフッ素樹脂をラミネートしてもよい。振動板は柔軟材９に臨む配置を採る。即ち、エレクトレットマイクロホン１７の検出面が柔軟材９に臨む。
【００４２】
マイクロホンホルダ１２は拡開部３の内部と前記胴部２の反拡開部側の内部空間を連通させる連通路１８を有する。連通路１８は例えば装着孔１６の内周面に軸方向に沿って形成された溝によって構成される。
【００４３】
胴部２の周側にはその軸方向に交差する方向からジャックケース２０が嵌合固定され、エレクトレットマイクロホン１７から引き出されたリード線２１が、ジャックケース２０に設けられたケーブルジャック２２に結合される。図示は省略するが、ケーブルジャック２２には一端にイヤホンが接続されたケーブルの他端のプラグが接続されて、エレクトレットマイクロホン１７で検出された音を聞くことができるようになっている。
【００４４】
以上にように構成されたチェストピースを用いて被検体からの音を聴取するには、図示は省略するが、ケーブルジャック２２に、一端にイヤホンが接続されたケーブルの他端のプラグを接続する。この状態で、ダイアフラム７を被検体に直接接触させることによって被検体表面の振動に応じてダイアフラム７が振動する。弾性変形可能に湾曲凸状を呈するダイアフラム７は肋骨など凹凸がある部分に対してもその形状に追従して弾性変形し易いので、従来の平らなダイアフラム面に比べて、被検体との接触面を大きくとることが容易なため、効率よく被検体表面の振動をダイアフラム面から検出することができる。例えば心音を聴取する場合、従来の聴診器を用いる場合には、チェストピースのベル面と皮膚を密着させることで、チェストピース内に密閉状態をつくり出し、体表面の振動をチェストピース内の内圧変動に変換する。このため、身体の小さい乳幼児や、痩せ型の患者などが対象の場合、ベル面と皮膚の間の密閉が確実にとれないことがあり、心音が正しく聴取できない虞があり、これを回避するために、チェストピースを皮膚に強く押し付けるか、身体の大きさに合わせて、ベル面のパーツを例えば直径３３ｍｍのような通常のサイズから一回り小さい２２ｍｍ径のサイズに変更するなどして対応しなければならなかった。図１のチェストピース１を用いれば、チェストピース１と皮膚の間の密閉を意識する必要がなく、ダイアフラム７の一部が皮膚に接触していれば良い為、患者の身体の大きさに合わせてパーツを付け替える必要もない。また、球面状に突出していることによって、肋骨など凹凸がある部分に対しての接触面積を、フラットなダイアフラムに比較して、大きくとることができるため、より効率よく体表面の振動を検出することができる。したがって、図１のチェストピースは、凹凸のある部分に対してもダイアフラム面を用いた聴音に適するものである。
【００４５】
上記湾曲凸状の球面状ダイアフラム７はケーシング４のダイアフラム収納部分である第１開口６の径よりも、一回り大きな径のフラットな弾性体円形使途としての円形ゴムシート７ＳＴを、ゴムシートからポンチなどで抜き落とすことで作製し、その円形ゴムシート７ＳＴを第１開口６へ押し込むことで、自然と球面が形成される。この方法でダイアフラム７の湾曲凸状を形成するから、さまざまな径の抜きポンチを作製するだけで、金型を作製・修正することなく、容易にダイアフラムの曲面具合を調節することができる。即ち、円形ゴムシート７ＳＴの径を調節することで、容易に球面の曲率を変化させることができる。円形ゴムシート７ＳＴの径を大きくすることで、球面の曲率を小さくすることができる。この方法によってダイアフラムの湾曲凸状を形成することにより、チェストピースのコスト低減にも寄与する。
【００４６】
音を聴取するとき、ダイアフラム７が皮膚に接触した際、ダイアフラム７と皮膚の温度差で、患者が冷たく感じることがある。一般的なガラスエポキシ樹脂、例えばＦＲ−４の熱伝導率が０．３８［Ｗ／（ｍ・Ｋ）］であるのに対し、ゴム系の弾性材料、例えばシリコーンゴムの熱伝導率は０．２０［Ｗ／（ｍ・Ｋ）］であるから、患者が冷たく感じにくくなる効果がある。さらに、多少強く押し当ててもゴムが変形して押し付ける圧力を吸収できるため、患者への負荷も軽減できる。
【００４７】
従来の聴診器において、チェストピースのダイアフラム面は、呼吸音の聴取に用いられる。呼吸音は２００Ｈｚ以上が主な周波数帯域と言われる。それ以下の不要な帯域をカットする為、ダイアフラム材質にはガラスエポキシなど、硬質な樹脂が用いられている。心音の周波数帯域は２００Ｈｚ以下も含む為、心音の聴取も考えた場合、このような硬質な樹脂は適していない。本実施の形態に係るチェストピース１のように、ダイアフラム７の材質にゴム系の弾性材料を用いることで、皮膚とのインピーダンス差を小さくし、より効率的に音響信号を伝えることができる。例えば、皮膚の音響インピーダンスは、約１．５×１０６ ［Ｎｓ／ｍ３］と言われるが、それに対してエポキシ樹脂、シリコーンゴムの音響インピーダンスはそれぞれ約３．０×１０６ ［Ｎｓ／ｍ３］、１．２×１０６ ［Ｎｓ／ｍ３］であるから、シリコーンゴムの方が皮膚のインピーダンスに近い。よって、体表面からの振動をダイアフラムの振動に変換する際の減衰を小さくすることができる。このように、シリコーンゴム製のダイアフラム７は、従来のフラットなダイアフラムに用いられていたエポキシ樹脂に比べて皮膚に近い音響インピーダンスを有し、体表からの振動をダイアフラムの振動に変換する際の減衰を小さくすることができ、体表面の振動検出効率を向上させることができる。
【００４８】
また、従来の聴診器のダイアフラムでは、体表面の汗などによってエポキシ樹脂のダイアフラムに皮膚が張り付くと、ダイアフラムを皮膚から剥離した際にダイアフラム自身の共振が起こり、耳障りな音が発生し、聴取者に不快感を生じさせていた。本実施の形態に係るチェストピース１のように、ダイアフラム７の材質としてシリコーンゴムのような弾性材料を用いることによって、人間の聴覚上、感度の低い帯域に共振周波数を下げることができ、この剥離雑音を聴感的に減じることができる。
【００４９】
本実施の形態に係るチェストピース１のダイアフラム７に近いモデルとして、周辺支持の円板の共振を考える。周辺支持の円板の共振周波数ｆは図３のように表すことができる。例えば、ガラスエポキシの厚さをｔ＝０．３ｍｍ、シリコーンゴムの厚さをｔ＝２ｍｍとし、一般的な聴診器のダイアフラム径と同じように直径４０ｍｍと仮定して計算すると、図３に例示されるように、共振周波数はガラスエポキシが５９５Ｈｚ，シリコーンゴムが６９Ｈｚとなる。人の聴覚は周波数により感度が異なり、例えば６００Ｈｚと６０Ｈｚの音に対する聴覚の感度は、６００Ｈｚの音の方が、２０ｄＢ以上高い。例えばこれはＩＳＯ２２６：２００３の等ラウドネス曲線を参照することによって得ることができる。等ラウドネス曲線は、様々な周波数の音について、同じ大きさに聞こえる音圧レベルをプロットしたものである。以上のことから、ダイアフラム７にシリコーンゴムに代表される弾性材料を用いることで、剥離時の雑音を減じ、聴取者の耳への負担を少なくすることができる。
【００５０】
ダイアフラム７の背面とマイクロホンホルダ１２の正面との間には連続気泡のスポンジや綿などの緩衝材として作用する柔軟材９が充填されるので、ダイアフラム７がチェストピース１の内部へ凹んだ際、この柔軟材９の反発によって、ダイアフラム７の元々の球面形状を保持することができる。柔軟材９には空気の流通路が形成されているからダイアフラムの振動を後方に伝達する障害にはならない。
【００５１】
また、エレクトレットマイクロホン１７を支持するマイクロホンホルダ１２がゴムリング１０を介して同部２の内周部に支持されているから、チェストピース１に触れたりしたときエレクトレットマイクロホン１７が拾うタッチノイズの軽減に資することができる。
【００５２】
また、マイクロホンホルダ１２にはその正面から背面に連通する連通路１８を形成してあるから、ダイアフラム７を被検体に押し付けて圧力が加えられると拡開部３内の空気が連通路１８を経てエレクトレットマイクロホン１７の背面側に廻り、当該マイクロホン１７の振動板の正面及び背面の圧力が均衡する。この状態でダイアフラム７に心拍などによる周期的な圧力変化が与えられると、これを正面側から受ける前記エレクトレットマイクロホン７で形成される静電容量が変化され、その変化に応じた信号が外部に出力される。ダイアフラム７に周期的な圧力変化が与えられると、ケーシング１内の空気はエレクトレットマイクロホン１７の正面から連通路１８を通って背面側に移動しようとする。これは、周期的な圧力変化が低周波であるほど顕著であるから、低周波の圧力変化に対しても前記静電容量を再帰的に変化させることができ、心拍等による低周波の圧力変化の検出も確実に行うことができる。マイクロホンホルダ１２を挟んで拡開部３に反対側に形成されている胴部２の内部空間は空気のバッファとして作用し、低周波の圧力変化の検出を更に安定化させる。望ましい形態として、前記ケーシングの内部は大気圧に非導通的とするのがよい。低周波の圧力変化に対する検出動作の安定化並びにノイズ除去に好都合だからである。大気圧に非導通的とは大気圧に対して機密封止されていることまでも意味するものではなく、ある程度の粘性抵抗をもって大気圧に連通する状態を意味する。図１に例示されるようにジャックケースの配線通路を介して大気圧に通ずるような状態は非導通的とする。
【００５３】
図４には本発明を適用したデュアルタイプのチェストピースの一例を示す。図４のチェストピース１Ａはマイクロホンを内蔵せず、チューブを介して音をイヤピースに導く聴診器に適用される。ケーシング４Ａは、拡開部３とは反対側に前記第１開口６に連通する第２開口３１が形成されたベル部３０を有すると共に、前記ケーシング４Ａの胴部２Ａの周側部に矢印方向に回動可能に一端が嵌合された音導経路切替え管３２を有する。音導経路切替え管３２はその一端面から軸方向に延在して他端の直前で周側面に至る通孔３３が形成されている。図示はしないが、音導経路切替え管３２はフランジなどの手段により胴部２Ａに対して進出方向への移動は規制されている。前記音導経路切替え管３２の第１回動位置（図４に示される位置）において音導経路切替え管３２の周側開口は前記第１開口に６連通される。音導経路切替え管３２の第２回動位置（図４に示される位置から１８０度回動した位置）において音導経路切替え管３２の周側開口は第２開口３１に連通される。拡開部３には図１と同様に湾曲凸状にダイアフラム７が設けられ、その背面側には柔軟材９が充填されている。ダイアフラム７に湾曲凸状を呈する方法は図１と同じであらからその詳細な説明は省略する。音導経路切替え管３２にはチューブ３４に一端が接続され、チューブ３４の他端にはイヤピースが設けられている。音導経路切替え管３２を第１回動位置に設定することにより、ダイアフラム７を用いて被検体の音を聴取することができる。音導経路切替え管３２を第２回動位置に設定することにより、ベル部３０を用いて被検体の音を聴取することができる。
【００５４】
図４で説明したデュアルタイプのチェストピース１Ａもダイアフラム７を用いた点については図１のチェストピース１と同様に作用効果を得る。
【００５５】
本発明は上記実施の形態に限定されるものではなく、その要旨を逸脱しない範囲において種々変更可能であることは言うまでもない。
【００５６】
例えば、ダイアフラムにはシリコーンゴムを用いる場合に限定されず、ウレタンゴムやフッ素ゴムなど、別のゴムを採用することも可能である。拡開部は円錐台形状に限定されず単に中空円柱上に形成してもよい。更に、エレクトレットマイクロホンを内蔵しない場合には、別部を追加した構成に限定されず、ベル部を設けない構成を採用することも可能である。湾曲凸状を呈するダイアフラムは、その形状ゆえに本来ベル部の機能を兼ねることが可能だからである。また、チェストピースは人体に用いる場合に限定されず、機械や装置、パイプ、建物などの構造物等を被検体とすることは言うまでもない。
【符号の説明】
【００５７】
１、１Ａ  チェストピース
２、２Ａ  胴部
３  拡開部
４、４Ａ  ケーシング
５  中空部
６  第１開口
６Ａ  第１開口６の内周縁
６Ｂ  拡開部３の外周縁
７  ダイアフラム
７Ａ  弾性体円形シートの外周縁
８  保持リング
９  柔軟材
１０  内周環状溝
１１  ゴムリング
１２  マイクロホンホルダ
１３  外周環状溝
１５  中心孔
１６  装着孔
１７  エレクトレットマイクロホン
１８  連通路
２０  ジャックケース
２１  リード線
２２  ケーブルジャック
３０  ベル部
３１  第２開口
３２  音導経路切替え管
【図１】
2015204870.tif 000003
【図２】
2015204870.tif 000004
【図３】
2015204870.tif 000005
【図４】
2015204870.tif 000006